(57)【要約】【課題】取出孔における衛生用薄葉紙の保持の確実性と、衛生用薄葉紙の取出し作業の容易性を両立した衛生用薄葉紙収納容器を提供する。【解決手段】内側に衛生用薄葉紙を収納する容器本体と、容器本体に着脱自在に取り付けられ、容器本体に収納された衛生用薄葉紙を取り出すための取出部３を有する蓋体と、を備えた衛生用薄葉紙収納容器において、取出部３は、衛生用薄葉紙が挿通され、当該衛生用薄葉紙をその先端が取出部３の上面から突出した状態で保持する取出孔３３と、取出部３の下面３ｂ及び取出孔３３の孔壁３３ａにより形成される角を面取りした面取り部３４と、を備える。【選択図】図４
2020138780.tif 000002
【特許請求の範囲】
【請求項１】
内側に衛生用薄葉紙を収納する容器本体と、前記容器本体に着脱自在に取り付けられ、前記容器本体に収納された衛生用薄葉紙を取り出すための取出部を有する蓋体と、を備えた衛生用薄葉紙収納容器において、
前記取出部は、
前記衛生用薄葉紙が挿通され、当該衛生用薄葉紙をその先端が前記取出部の上面から突出した状態で保持する取出孔と、
前記取出部の下面及び前記取出孔の孔壁により形成される角を面取りした面取り部と、を備えることを特徴とする衛生用薄葉紙収納容器。
【請求項２】
前記面取り部は、前記取出孔の孔壁を平面で面取りした平面面取り部、又は、前記取出孔の孔壁を凸曲面で面取りした曲面面取り部であることを特徴とする請求項１に記載の衛生用薄葉紙収納容器。
【請求項３】
前記取出孔は、下端側の開口面積が、上端側の開口面積より大きくなるよう形成されていることを特徴とする請求項１又は２に記載の衛生用薄葉紙収納容器。
【請求項４】
前記取出孔は、放射状の切り込みによって形成されていることを特徴とする請求項１から３のいずれか一項に記載の衛生用薄葉紙収納容器。
【請求項５】
前記蓋体は、上面に孔部を有し、
前記取出部は、側面に設けられた括れ部を有し、当該括れ部に前記孔部の縁が嵌め込まれることによって、前記蓋体に取り付けられていることを特徴とする請求項１から４のいずれか一項に記載の衛生用薄葉紙収納容器。
【発明の詳細な説明】
【技術分野】
【０００１】
本発明は、ウェットシートやウェットティッシュ等の衛生用薄葉紙を収納する衛生用薄葉紙収納容器に関する。
【背景技術】
【０００２】
従来、家屋の床やトイレ、あるいは人体などを拭くための衛生用薄葉紙を収納する衛生用薄葉紙収納容器が知られている。
衛生用薄葉紙収納容器としては、取出孔の形成された取出部を着脱可能に備え、この取出孔により衛生用薄葉紙に抵抗を掛けて、衛生用薄葉紙に設けられたミシン目にて衛生用薄葉紙を切り離す構成のものが知られている（例えば、特許文献１参照）。
【先行技術文献】
【特許文献】
【０００３】
【特許文献１】特許第５８５０５２１号公報
【発明の概要】
【発明が解決しようとする課題】
【０００４】
このような衛生用薄葉紙収納容器においては、連続して衛生用薄葉紙を使用できるようにするため、衛生用薄葉紙をミシン目で切り離した際に、後続の衛生用薄葉紙が容器内部に落ち込むことなく、その端部が取出孔から突出した状態で保持される必要がある。
しかしながら、十分な保持機能を確保するため取出孔により衛生用薄葉紙に掛かる抵抗を高めると、後続の衛生用薄葉紙の取出孔からの突出量が少なく、取出しが困難になる場合がある。
【０００５】
本発明の課題は、取出孔における衛生用薄葉紙の保持の確実性と、衛生用薄葉紙の取出し作業の容易性を両立した衛生用薄葉紙収納容器を提供することである。
【課題を解決するための手段】
【０００６】
上記課題を解決するために、請求項１に記載の発明は、
内側に衛生用薄葉紙を収納する容器本体と、前記容器本体に着脱自在に取り付けられ、前記容器本体に収納された衛生用薄葉紙を取り出すための取出部を有する蓋体と、を備えた衛生用薄葉紙収納容器において、
前記取出部は、
前記衛生用薄葉紙が挿通され、当該衛生用薄葉紙をその先端が前記取出部の上面から突出した状態で保持する取出孔と、
前記取出部の下面及び前記取出孔の孔壁により形成される角を面取りした面取り部と、を備えることを特徴とする。
本発明によれば、取出孔における衛生用薄葉紙の保持の確実性と、衛生用薄葉紙の取出し作業の容易性を両立した構成とすることができる。
【０００７】
また、請求項２に記載の発明は、請求項１に記載の衛生用薄葉紙収納容器において、
前記面取り部は、前記取出孔の孔壁を平面で面取りした平面面取り部、又は、前記取出孔の孔壁を凸曲面で面取りした曲面面取り部であることを特徴とする。
本発明によれば、面取り部を容易に形成することができる。
【０００８】
また、請求項３に記載の発明は、請求項１又は２に記載の衛生用薄葉紙収納容器において、
前記取出孔は、下端側の開口面積が、上端側の開口面積より大きくなるよう形成されていることを特徴とする。
本発明によれば、衛生用薄葉紙の取出し作業の容易性を高めることができる。
【０００９】
また、請求項４に記載の発明は、請求項１から３のいずれか一項に記載の衛生用薄葉紙収納容器において、
前記取出孔は、放射状の切り込みによって形成されていることを特徴とする。
本発明によれば、取出孔における衛生用薄葉紙の保持の確実性を高めることができる。
【００１０】
また、請求項５に記載の発明は、請求項１から４のいずれか一項に記載の衛生用薄葉紙収納容器において、
前記蓋体は、上面に孔部を有し、
前記取出部は、側面に設けられた括れ部を有し、当該括れ部に前記孔部の縁が嵌め込まれることによって、前記蓋体に取り付けられていることを特徴とする。
本発明によれば、取出部を蓋体から外れ難くすることができる。
【発明の効果】
【００１１】
本発明によれば、取出孔における衛生用薄葉紙の保持の確実性と、衛生用薄葉紙の取出し作業の容易性を両立した衛生用薄葉紙収納容器を提供することができる。
【図面の簡単な説明】
【００１２】
【図１】実施形態に係る衛生用薄葉紙収納容器の斜視図である。
【図２】図１のＩＩ-ＩＩ部における断面図である。
【図３】実施形態に係る衛生用薄葉紙収納容器の取出部の斜視図である。
【図４】取出部の底面図である。
【図５】図４のＶ−Ｖ部における断面図である。
【図６】面取り部の形状を説明するための図であり、図５のＶＩ−Ｖ部Ｉにおける断面図である。
【図７】面取り部の形状を説明するための図である。
【発明を実施するための形態】
【００１３】
以下、本発明の実施形態である衛生用薄葉紙収納容器１００の具体的な態様について、図１から図７に基づいて説明する。ただし、本発明の技術的範囲は、図示例に限定されるものではない。
なお、以下においては、図１に示すように、前後方向、左右方向及び上下方向並びにＸ軸、Ｙ軸及びＺ軸を定めて説明する。すなわち、衛生用薄葉紙収納容器１００において、衛生用薄葉紙が取り出される側を上、その反対側を下、衛生用薄葉紙収納容器１００の平面視における手前側を前、その反対側を後、後を向いた際の右手側を右、後を向いた際の左手側を左とし、前後方向に沿った軸をＸ軸、左右方向に沿った軸をＹ軸、上下方向に沿った軸をＺ軸とする。
【００１４】
＜実施形態の構成＞
（全体構成）
衛生用薄葉紙収納容器１００は、図１に示すように、衛生用薄葉紙（例えば、ロール状に巻かれたウェットシートやウェットティッシュ等のロールペーパー）を内部に収納する容器本体１と、容器本体１に着脱自在に取り付けられる蓋体２と、蓋体２に着脱自在に取り付けられる取出部３と、を備えて構成されている。
蓋体２が、容器本体１に対して着脱自在に構成されているため、容器本体１から蓋体２を取り外した状態で、容器本体１の内部に衛生用薄葉紙を収納したり、内部から衛生用薄葉紙を取り出したりすることができる。
また、衛生用薄葉紙は、上下方向に沿った軸心にロール状に巻かれた状態で容器本体１に収納されている。また、衛生用薄葉紙には、長さ方向に一定間隔をおいてミシン目が施されており、そのミシン目に沿って切り離した衛生用薄葉紙を、ユーザが使用するようになっている。
【００１５】
（容器本体）
容器本体１は、衛生用薄葉紙を収納するための容器であり、有底円筒形上に形成され、上面には開口部が設けられている。また、側面の上端部の外周面には、図２に示すように、周方向に沿って雄ネジ部１１が設けられている。
容器本体１は、例えば、ＰＥ（ポリエチレン）、ＰＰ（ポリプロピレン）、ＰＥＴ（ポリエチレンテレフタレート）、ＡＢＳ樹脂等から形成されている。
容器本体１は、平面視において直径６０ｍｍ〜２００ｍｍ、好ましくは６５ｍｍ〜１１０ｍｍの円となり、Ｚ軸方向（高さ）１７５ｍｍ〜２００ｍｍ、好ましくは１７５ｍｍ〜１８５ｍｍ、各面の厚み０．０５ｍｍ〜１０ｍｍ、好ましくは０．１ｍｍ〜５ｍｍの円筒形状に形成されている。
【００１６】
（蓋体）
蓋体２は、図１及び図２に示すように、蓋体本体２１と、小蓋２２と、から構成されている。
【００１７】
蓋体本体２１は、例えば、ＰＥ（ポリエチレン）、ＰＰ（ポリプロピレン）、ＰＥＴ（ポリエチレンテレフタレート）、ＡＢＳ樹脂等から形成されており、下面が開放された円筒形状をなし、天面部２１ａと、側面部２１ｂと、天面部２１ａの平面視内周側に下方に向けて凹状に形成される凹部２１ｃと、孔部２１ｄと、凹部２１ｃ内において孔部２１ｄを囲むように円筒形状に立設された本体側壁部２１ｅと、を備えている。
蓋体本体２１は、平面視において直径６０ｍｍ〜２００ｍｍ、好ましくは６５ｍｍ〜１１０ｍｍの円形となり、Ｚ軸方向（高さ）１５ｍｍ〜５０ｍｍ、好ましくは３３ｍｍ〜４５ｍｍ、各面の厚み０．０５ｍｍ〜１０ｍｍ、好ましくは０．１ｍｍ〜５ｍｍの円筒形状に形成されている。
【００１８】
また、側面部２１ｂの下端部の内周面には、容器本体１の雄ネジ部１１と螺合する雌ネジ部２１１が設けられている。これによって、図２に示すように容器本体１と蓋体２は、雄ネジ部１１と雌ネジ部２１１を介した着脱自在な連結構造をとり、容器本体１から蓋体２を取り外すことが可能となっている。
【００１９】
（凹部）
凹部２１ｃは、閉塞時の小蓋２２と平面視における形状が略一致し、小蓋２２を嵌めることができるように形成されている。また、凹部２１ｃは、前端部が平面視において小蓋２２よりも大きく、小蓋２２が嵌め込まれた状態でも若干の隙間が残るように形成されている。これによって、当該隙間を利用して小蓋２２に指を掛けることが可能となる。
【００２０】
（孔部）
孔部２１ｄは、蓋体本体２１の平面視略中央に平面視円形に形成された、衛生用薄葉紙収納容器１００内部に通じる孔であり、平面視において、取出部３より僅かに小さく形成され、後述のように孔部２１ｄには取出部３が固定される。
【００２１】
（本体側壁部）
本体側壁部２１ｅは、孔部２１ｄの周囲を囲むように、凹部２１ｃ内において円筒形状に上方に向けて延出して形成されている。本体側壁部２１ｅは、外径が小蓋２２に形成される小蓋側壁部２２ａの内径と同一か、ごく僅かに小さくなるように形成されている。
【００２２】
（小蓋）
小蓋２２は、例えば、ＰＥ（ポリエチレン）、ＰＰ（ポリプロピレン）、ＰＥＴ（ポリエチレンテレフタレート）、ＡＢＳ樹脂等から形成され、端部が蓋体本体２１と連結され、閉塞時における下面から突出した小蓋側壁部２２ａを備える。小蓋２２は、閉塞時の平面視における形状が凹部２１ｃと略一致し、閉塞時に凹部２１ｃに嵌めることができるように形成されている。
【００２３】
（小蓋側壁部）
小蓋側壁部２２ａは、小蓋２２の閉塞時において下方に向けて延出する円筒形状に形成されている。また、小蓋側壁部２２ａは、内径が本体側壁部２１ｅの外径と同一か、ごく僅かに大きくなるように形成されている。これによって、小蓋２２の閉塞時に、小蓋側壁部２２ａと本体側壁部２１ｅとが嵌合し、小蓋側壁部２２ａと本体側壁部２１ｅとで囲まれた空間、ひいては当該空間と孔部２１ｄを介して繋がる衛生用薄葉紙収納容器１００内部の気密性を保つことができる。
【００２４】
なお、本実施形態では、本体側壁部２１ｅと小蓋側壁部２２ａとを嵌合させることによって、衛生用薄葉紙収納容器１００内部の気密性を保つよう構成しているが、衛生用薄葉紙収納容器１００内部の気密性を保つことができれば、上記と異なる構成とすることも可能である。
また、収納する衛生用薄葉紙が薬液等を染み込ませたものでなく、乾燥を防ぐ必要がない場合には、特に気密手段を備えない構成としてもよい。
【００２５】
（取出部）
取出部３は、図３及び図４に示すように、平面視において円形となる略円柱状に形成された弾性変形可能な部材であり、例えば、射出成型により形成することができる。
具体的に、取出部３は、平面視中央部に形成された凹部３１と、側面に形成された括れ部３２と、凹部３１の平面視略中央に形成された取出孔３３と、下面３ｂにおいて取出孔３３の周縁部を面取りして形成された面取り部３４と、を備えている。
また、取出部３は、平面視において、蓋体本体２１の直径の１０分１以上、３分の１以下の孔部２１ｄより僅かに大きい円形となり、また、凹部３１を除いたＺ軸方向の厚みＲ１（図５参照）は、２．０ｍｍ〜１０．０ｍｍ、好ましくは３．０ｍｍ〜７．０ｍｍとなるように形成されている。
【００２６】
（凹部）
凹部３１は、取出部３の上面において、周縁部を残して、上面視円形状に下方に向けて凹状となるように形成されている。また、凹部３１は、その内部底面３ａが平面となるように形成されている。
【００２７】
（括れ部）
括れ部３２は、取出部３の側面の上下方向略中央部を周方向に沿って周回するようにして、平面視において取出部３の直径の２０分の１以上、１０分の１以下の深さとなるように径方向に凹んだ溝状に形成される。上記のように取出部３は、平面視において孔部２１ｄより僅かに大きく形成されているため、この括れ部３２に孔部２１ｄの縁を嵌め込むことによって、取出部３を蓋体本体２１に固定することが可能となる。
【００２８】
（取出孔）
取出孔３３は、容器本体１の内部に収納された衛生用薄葉紙を取り出すための孔である。
取出孔３３は、下側から衛生用薄葉紙が挿通され、当該衛生用薄葉紙を、その先端が取出部３の上面（凹部３１の内部底面３ａ）から突出した状態として保持する。
衛生用薄葉紙の先端が取出部３の上面から突出した状態であるとき、その突出量としては、１２ｍｍ〜３０ｍｍ、好ましくは１５ｍｍ〜２５ｍｍである。この突出量であれば、一般的なユーザの手指で摘みやすく、取出し作業を容易に行うことができる。
【００２９】
取出孔３３は、放射状の切り込みによって形成されており、例えば、図３の場合、２本の直線状の切り込みを十字状に入れることにより、十字状（放射状）の切り込みが形成されている。取出孔３３の全長Ｒ２（図５参照）としては、５ｍｍ〜３０ｍｍ、好ましくは１０ｍｍ〜１５ｍｍに形成され、例えば、一般的なユーザの人差し指の幅以上となる１５ｍｍ程度に設定されている。このように、取出孔３３を放射状の切り込みにより形成することで、取出孔３３における衛生用薄葉紙の保持の確実性をより高めることができる。
なお、図３では、十字状に取出孔３３を形成した場合について図示して説明したが、取出孔３３の形状としてはこれに限られず、上記の機能を果たすことが可能であれば任意の形状を選択可能である。すなわち、３本以上の直線状の切り込みにより、放射状の切り込みが形成されていてもよい。また、取出孔３３としては、一の直線状の切り込みによって形成されてもよいし、円形状、楕円形状、略星型等の形状であっても良い。
【００３０】
（面取り部）
面取り部３４は、図４及び図５に示すように、取出部３の下面３ｂと、取出孔３３の孔壁３３ａとにより形成される角を面取りした領域である。
具体的には、面取り部３４は、取出部３の下面３ｂにおいて取出孔３３の孔壁３３ａの縁部を傾斜する平面で面取りした平面面取り部であって、これにより、取出孔３３は、その下端側の開口面積が、上端側の開口面積より大きくなる形状となっている。
面取り部３４のサイズとしては、図６に示すように、取出孔３３の孔壁３３ａから取出孔３３の幅方向（ＸＹ平面に沿う方向）の長さＬ１が０．５ｍｍ〜１．０ｍｍの範囲内、取出孔３３の下端から高さ方向（Ｚ軸方向に沿う方向）の長さＬ２が０．５ｍｍ〜１．０ｍｍの範囲内となるように設定されることが好ましい。
【００３１】
なお、ここでは、平面で面取りすることで面取り部３４を形成した場合について図示して説明したが、面取り部３４としては、図７に示すように、取出部３の下面３ｂと、取出孔３３の孔壁３３ａとにより形成される角を、凸曲面となるよう面取りした曲面面取り部であっても良い。
【００３２】
上記した取出部３において、衛生用薄葉紙を引き出すときに必要な力として、digital force gauge(ＩＭＡＤＡ製:型番ＤＳ２−２００Ｎ)を用いて５回測定しその平均値を抵抗値として規定した場合、かかる抵抗値の値は、５Ｎ〜１２Ｎの範囲内であることが好ましく、６Ｎ〜１０Ｎであることがより好ましい。
また、一本のロール状に巻かれた衛生用薄葉紙（例えば、８０枚のシートが連なったもので、７９本のミシン目を有するもの）を引き出した際に、ミシン目が切れずに後続の衛生用薄葉紙が続けて出てしまう回数（連なり回数）の許容範囲としては、１０回以内であり、７回以内であることが好ましい。
【００３３】
＜実施形態の作用＞
上述した衛生用薄葉紙収納容器１００では、取出孔３３によって、引き出された衛生用薄葉紙に抵抗を掛けることで、使用する衛生用薄葉紙をミシン目に沿って切り離すと共に、後続の衛生用薄葉紙を取出孔３３から端部が突出した状態で保持しておくことが可能となる。
このとき、面取り部３４を備えることで、面取り部３４を備えない場合と比較して、衛生用薄葉紙が取出孔３３を通る際の抵抗が減らされるので、後続の衛生用薄葉紙が取出孔３３から突出する突出量を十分に確保でき、また、引き出すのに必要な力も減少し、取出し作業を容易にすることができる。
【００３４】
＜実施形態の効果＞
本実施形態によれば、内側に衛生用薄葉紙を収納する容器本体１と、容器本体１に着脱自在に取り付けられ、容器本体１に収納された衛生用薄葉紙を取り出すための取出部３を有する蓋体２と、を備えた衛生用薄葉紙収納容器１００において、取出部３は、衛生用薄葉紙が挿通され、当該衛生用薄葉紙をその先端が取出部３の上面（凹部３１の内部底面３ａ）から突出した状態で保持する取出孔３３と、取出部３の下面３ｂ及び取出孔３３の孔壁３３ａにより形成される角を面取りした面取り部３４と、を備える。
このため、取出孔３３における衛生用薄葉紙の保持の確実性と、衛生用薄葉紙の取出し作業の容易性を両立した構成とすることができる。
【００３５】
また、本実施形態によれば、面取り部３４は、取出孔３３の孔壁３３ａを平面で面取りした平面面取り部、又は、取出孔３３の孔壁３３ａを凸曲面で面取りした曲面面取り部である。
このため、面取り部３４を容易に形成することができる。
【００３６】
また、本実施形態によれば、取出孔３３は、下端側の開口面積が、上端側の開口面積より大きくなるよう形成されている。
このため、衛生用薄葉紙の取出し作業を容易にすることができる。
【００３７】
また、本実施形態によれば、取出孔３３は、放射状の切り込みによって形成されている。
このため、取出孔における衛生用薄葉紙の保持の確実性を高めることができる。
【００３８】
また、本実施形態によれば、蓋体２は、上面に孔部２１ｄを有し、取出部３は、側面に設けられた括れ部３２を有し、当該括れ部３２に孔部２１ｄの縁が嵌め込まれることによって、蓋体２に取り付けられている。
このため、取出部３を蓋体２から外れ難くすることができる。
【００３９】
（その他）
なお、衛生用薄葉紙収納容器１００に収納される衛生用薄葉紙としては、必ずしもロール状に巻かれたものに限られず、例えばシートが交互に折り重ねられた状態で積層され、１枚の衛生用薄葉紙を取り出した際に次の衛生用薄葉紙も取出孔まで引き出されるように形成された、所謂ポップアップ式のシートを用いることも可能である。
また、衛生用薄葉紙収納容器１００の形状としては、必ずしも円筒形状でなくともよい。
【実施例】
【００４０】
次に、本発明の実施例及び比較例について、衛生用薄葉紙の取出し易さについて評価した結果について説明する。以下、実施例により本発明を具体的に説明するが、本発明はこれに限定されるものではない。
【００４１】
＜サンプル作製＞
（衛生用薄葉紙収納容器）
衛生用薄葉紙収納容器として、図１に示した形状であって、容器本体と、容器本体に着脱自在に取り付けられる蓋体とを有するＰＥ製のものを準備した。
この衛生用薄葉紙収納容器に、以下の実施例１及び２、比較例１及び２の取出部を装着した。
【００４２】
（実施例１、２）
実施例１、２の取出部は、図３〜６に示した形状であって、エラストマー製である。
取出部のＺ軸方向の厚みは、凹部を除いて３．０ｍｍである。
また、取出孔は、平面視において十字型であり、上面視において、取出孔の全長は２９ｍｍである。
そして、面取り部の長さＬ１及びＬ２を、Ｌ１＝Ｌ２＝０．５ｍｍ、Ｌ１＝Ｌ２＝１．０ｍｍとしたものを、それぞれ実施例１、２とした。
なお、Ｌ１はＸＹ平面に沿う方向の長さであり、Ｌ２はＺ軸に沿う方向の長さである。
【００４３】
（比較例１、２）
面取り部の長さＬ１及びＬ２を、Ｌ１＝Ｌ２＝１．５ｍｍとした以外、実施例１と同一にした取出部を、比較例１とした。
また、面取り部を備えない（すなわち、Ｌ１＝Ｌ２＝０ｍｍとした）以外、実施例１と同一にした取出部を、比較例２とした。
【００４４】
（衛生用薄葉紙）
衛生用薄葉紙は、ロール状に巻かれたウェットシートで、長さ方向に一定間隔をおいてミシン目が施されたものを使用した。具体的に、ミシン目の数は７９本であって、８０枚のシートが連なったウェットシートを使用した。
【００４５】
＜評価＞
上記実施例１及び２、比較例１及び２のサンプルを用いて、（１）後続の衛生用薄葉紙の突出量、（２）取り出し時の抵抗値、（３）連なり回数を、以下のようにして測定し、その結果を表Ｉに示した。
【００４６】
（１）後続の衛生用薄葉紙の突出量
上記のロール状に巻かれた一本のウェットシートを、上記実施例１及び２、比較例１及び２のサンプルを用いて引き出し、後続のウェットシートの突出量を計測した平均値を、衛生用薄葉紙の突出量として算出した。
【００４７】
（２）衛生用薄葉紙を取り出したときの抵抗値
上記のロール状に巻かれたウェットシートを、上記実施例１及び２、比較例１及び２のサンプルを用いて引き出し、引き出すときに必要な力を、digital force gauge(ＩＭＡＤＡ製:型番ＤＳ２−２００Ｎ)を用いて測定した。各サンプルで５回測定を実施し、その平均値を抵抗値とした。
【００４８】
（３）連なり回数
上記のロール状に巻かれた一本のウェットシートを、上記実施例１及び２、比較例１及び２のサンプルを用いて引き出し、ミシン目が切れずに後続の衛生用薄葉紙が続けて出てしまった回数を、連なり回数としてカウントした。
【００４９】
【表１】
2020138780.tif 000003
【００５０】
表Ｉの結果より、面取部の面積が大きい程、すなわち、Ｌ１及びＬ２の値が大きい程、後続の衛生用薄葉紙の突出量が大きくなることがわかる。
また、面取部の面積が大きい程、衛生用薄葉紙の取出しに必要な力が減少するが、連なり回数が増加することがわかる。
比較例１の場合、連なり回数が多すぎて好ましくない。また、比較例２の場合、突出量が少なすぎて好ましくない。
よって、Ｌ１及びＬ２の長さを０．５ｍｍ〜１．０ｍｍとすることで、衛生用薄葉紙の保持の確実性と、衛生用薄葉紙の取出し作業の容易性を両立させることができる。
【符号の説明】
【００５１】
１  容器本体
１１  雄ネジ部
２  蓋体
２１  蓋体本体
２１ａ  天面部
２１ｂ  側面部
２１ｃ  凹部
２１ｄ  孔部
２１ｅ  本体側壁部
２１１  雌ネジ部
２２  小蓋
２２ａ  小蓋側壁部
３  取出部
３ａ  内部底面
３ｂ  下面
３１  凹部
３２  括れ部
３３  取出孔
３３ａ  孔壁
３４  面取り部
１００  衛生用薄葉紙収納容器
【図１】
2020138780.tif 000004
【図２】
2020138780.tif 000005
【図３】
2020138780.tif 000006
【図４】
2020138780.tif 000007
【図５】
2020138780.tif 000008
【図６】
2020138780.tif 000009
【図７】
2020138780.tif 000010